(57)【要約】【課題】カメラの設計仕様に対応して、製作後、速度ダイアルのクリック機能を簡単に無くすことの可能なカメラ用レンズシャッタを提供すること。【解決手段】シャッタケース１は、内部に取り付けたシャッタ地板２との間にに、光軸を中心して往復回転させられる駆動リング８と、その駆動リング８によって開閉作動をさせられる５枚のシャッタ羽根９が配置されている。また、シャッタ地板２には、速度ダイアル３が光軸を中心にして回転可能に取り付けられ、その外側に、押さえ板４が固定されている。更に、シャッタ地板２に設けられた受け台１２には、クリックピン１４が挿入され、コイルばね１３によってクリック受け部３ｂの一つに係合するようになっている。従って、シャッタユニットの製作後、速度ダイアル３を回転させ、クリック着脱部３ｃを押さえ板４の着脱孔４ａに合わせると、クリックピン１４とコイルばね１３が外せるようになっている。【選択図】　図２
2004038118.tif 000002
【特許請求の範囲】
【請求項１】
ケース内に固定されていて中央部に露光用開口部とレンズ取付け用の筒部を形成しているシャッタ地板と、前記シャッタ地板に取り付けられていて撮影時には駆動ばねの付勢力によりシャッタ羽根に前記露光用開口部の開き作動と閉じ作動とを行わせる開閉駆動部材と、歯車列を有していて前記シャッタ地板に取り付けられており前記開閉駆動部材が前記シャッタ羽根に閉じ作動を行わせるとき前記開閉駆動部材の作動を遅延させるガバナーと、前記筒部の外周部に回転可能に取り付けられておりその回転位置に対応して前記ガバナーの歯車列の噛合状態を変えるカム部と所定の回転角度範囲にわたって同一円周上に形成されている複数のクリック受け部と該クリック受け部と同一円周上であって前記回転角度範囲外に形成されたクリック着脱部とを形成している速度ダイアルと、前記シャッタ地板に対してばね部材によって光軸と平行に付勢されるように取り付けられており前記クリック受け部のいずれかに係合するクリック部材と、を備えていて、前記速度ダイアルを、前記着脱部が前記クリック部材に対応する位置まで回転させたとき、前記着脱部から少なくとも前記クリック部材を前記ケース外へ取り出せるようにしたことを特徴とするカメラ用レンズシャッタ。
【請求項２】
前記筒部が、前記速度ダイアルの外側において前記速度ダイアルと重ねるようにして押さえ板を固定しており、該押さえ板には、前記クリック部材に対応する位置に着脱孔が形成されていると共に、前記速度ダイアルの着脱部が前記クリック部材に対応する位置まで回転するのを制限するために、ストッパ部材が着脱可能に取り付けられていることを特徴とする請求項１に記載のカメラ用レンズシャッタ。
【発明の詳細な説明】
【０００１】
【発明の属する技術分野】
本発明は、露光時間を機械的に制御するカメラ用レンズシャッタに関する。
【０００２】
【従来の技術】
最近のカメラ用レンズシャッタは、その殆どが、露光時間を電気的に制御しているが、プロの写真家や一部の写真愛好家には、露光時間を機械的に制御するレンズシャッタ付きのカメラが愛好されている。周知のように、この種のシャッタは、ガバナーと称される、歯車列からなる遅延機構を備えていて、シャッタ羽根が全開状態となってから閉じ作動を開始するまでの間、開閉駆動部材の作動を遅延させるようにしている。そして、その遅延時間の調節（即ち、露光時間の設定）を行うには、速度ダイアルと称されている調節環を、撮影者が、光軸を中心にして手で回転させるようになっており、それによって、速度ダイアルに形成されているカムが歯車列の噛み合い状態を変え、遅延時間が変えられるようになっている。
【０００３】
また、設定される露光時間は、目盛りで確認することができるようにしているが、通常は、露光時間を、例えば１／３０秒，１／５０秒，１／１００秒というように、段階的に変え得るようになっていて、そこでの停止状態は、クリック機構によって維持され、且つその位置を手の感触で確認できるようにもなっている。従って、このクリック機構の存在は、その手応えによって、撮影者に対し、所望の露光時間に確実に設定されたという安心感と、カメラを自分の意思で操作しているという満足感を与えるものとなっている。他方、シャッタを製作するときには、このクリック機構による速度ダイアルの停止位置が、各露光時間の検査を行う際の基準位置となっている。そのため、検査を迅速且つ的確に行うためには、このクリック機構の存在は欠かせないものである。
【０００４】
【発明が解決しようとする課題】
この種のレンズシャッタ付きカメラの場合にも、最近では種々のデザインのものが要求されるようになってきて、従来のように、シャッタユニットをカメラボディーから露出させないようにすることも要求されるようになってきた。しかしながら、シャッタユニットをカメラボディーから露出させないようにする場合でも、従来の速度ダイアルとクリック機構とは、シャッタユニットの製作上、今までどおり必要である。ところが、カメラに組み込んだ後は、その速度ダイアルを手で操作できないから、カメラ本体側にも、外部に別の速度ダイアルを設け、二つの速度ダイアルを適宜な方法で連動させることが必要になる。そして、そのようにした場合には、むしろ、カメラ本体側の速度ダイアルにこそ、クリック機構が必要になる。
【０００５】
ところが、シャッタユニット側とカメラ本体側の両方にクリック機構が設けられた場合には、個々には感触のよいクリック機構であっても、同時に両者を働かすとなると、負荷が大きくなって、設定操作が重くなってしまうという問題点がある。また、両者のクリック機構のクリック間隔を全く同じに製作することは非常に難しい。また、仮にクリック間隔を同じに製作できたとしても、カメラ本体へシャッタユニットを取り付ける際に、クリックの働くタイミングを全く一致させるようにするのは、非常に大変なことである。そして、両者の働くタイミングに若干のずれでも生じてしまうと、露光時間の調節自体には問題がなくても、撮影者に対して不快感を与え、且つカメラの完成度に疑問を与えてしまうという問題点がある。
【０００６】
本発明は、このような問題点を解決するためになされたものであり、その目的とするところは、シャッタユニットの製作完了後に、必要に応じて、簡単にクリック機能を無くすことができるようにしたカメラ用レンズシャッタを提供することである。
【０００７】
【課題を解決するための手段】
上記の目的を達成するために、本発明のカメラ用レンズシャッタは、ケース内に固定されていて中央部に露光用開口部とレンズ取付け用の筒部を形成しているシャッタ地板と、前記シャッタ地板に取り付けられていて撮影時には駆動ばねの付勢力によりシャッタ羽根に前記露光用開口部の開き作動と閉じ作動とを行わせる開閉駆動部材と、歯車列を有していて前記シャッタ地板に取り付けられており前記開閉駆動部材が前記シャッタ羽根に閉じ作動を行わせるとき前記開閉駆動部材の作動を遅延させるガバナーと、前記筒部の外周部に回転可能に取り付けられておりその回転位置に対応して前記ガバナーの歯車列の噛合状態を変えるカム部と所定の回転角度範囲にわたって同一円周上に形成されている複数のクリック受け部と該クリック受け部と同一円周上であって前記回転角度範囲外に形成されたクリック着脱部とを形成している速度ダイアルと、前記シャッタ地板に対してばね部材によって光軸と平行に付勢されるように取り付けられており前記クリック受け部のいずれかに係合するクリック部材と、を備えていて、前記速度ダイアルを、前記着脱部が前記クリック部材に対応する位置まで回転させたとき、前記着脱部から少なくとも前記クリック部材を前記ケース外へ取り出せるようにする。
【０００８】
その場合、前記筒部が、前記速度ダイアルの外側において前記速度ダイアルと重ねるようにして押さえ板を固定しており、該押さえ板には、前記クリック部材に対応する位置に着脱孔が形成されていると共に、前記速度ダイアルの着脱部が前記クリック部材に対応する位置まで回転するのを制限するために、ストッパ部材が着脱可能に取り付けられているようにすると、種々のデザインのカメラに適用できる好適なシャッタユニットが得られる。
【０００９】
【発明の実施の形態】
本発明の実施の形態を、図示した実施例によって説明する。尚、図１は、最長露光時間に設定された状態を示す実施例の平面図であり、図２は、図１の要部断面図である。また、図３は、最短露光時間に設定された状態を示す実施例の平面図である。更に、図４は、クリック機能を無くすときの状態を示す実施例の平面図であり、図５は、図４の要部断面図である。
【００１０】
そこで、先ず、図１及び図２を用いて、本実施例の構成を説明するが、図１はカメラに取り付けられた状態で被写体側から見た平面図である。そこで、以下の構成説明においては、被写体側を表面側と称し、撮影者側を背面側と称することにする。シャッタケース１は、周知のように、底の抜けた椀状をしていて、明示していないが、図１の中央部において背面側に突き出ている円筒部に形成された雄ねじ部により、カメラ本体に螺着されるようになっている。そして、このシャッタケース１の円形をした側壁には、二つの窓１ｂ，１ｃが形成されている。
【００１１】
シャッタケース１の内部に固定されているシャッタ地板２は、中央部に円形の露光用開口部２ａを形成しており、それを囲むようにして表面側に形成された筒部２ｂの内壁には雌ねじが形成されていて、図示していないレンズが取り付けられるようになっている。また、周知であるため詳細な形状を示していないが、この筒部２ｂの先端部の外壁には、段部と雄ねじが形成されている。そして、そこに円環状をした速度ダイアル３と押さえ板４とが、押さえナット５を上記の雄ねじに螺合させて取り付けられており、その取付状態においては、内側に取り付けられた速度ダイアル３は回転可能であるが、外側に取り付けられた押さえ板４は固定されるようになっている。
【００１２】
シャッタケース１内において、シャッタ地板２には、軸２ｃ，２ｄが立設されている。軸２ｃには、セット部材６が回転可能に取り付けられており、図示していないばねによって時計方向へ回転するように付勢されている。そして、このセット部材６は、ばねの付勢力に抗して反時計方向へ回転させられたとき、周知であるため図示していない開閉駆動部材を、駆動ばねの付勢力に抗してセット状態にし、セット後は図１の状態に復帰するようになっている。他方、軸２ｄには、レリーズ部材７が回転可能に取り付けられており、図示していないばねによって時計方向へ回転するように付勢されている。そして、このレリーズ部材７は、ばねの付勢力に抗して反時計方向へ回転させられたとき、上記の開閉駆動部材のセット状態を解除し、駆動ばねの付勢力によって露光作動を開始させるようになっている。
【００１３】
シャッタ地板２の背面側には、シャッタケース１との間に羽根室が構成され、そこに、駆動リング８と５枚のシャッタ羽根９が配置されている。そして、駆動リング８は、上記の図示していない開閉駆動部材によって、露光用開口部２ａの周囲で往復回転させられるようになっており、各シャッタ羽根９は、円形の孔を駆動リング８のピン８ａに嵌合させ、長孔をシャッタ地板２のピンに嵌合させている。そのため、撮影に際して、図示していない開閉駆動部材が駆動ばねの付勢力によって作動を開始し、駆動リング８が、図示していない周知の機構を介して往復回転させられると、５枚のシャッタ羽根９は、先ず、駆動リング８の時計方向の回転によって露光用開口部２ａを開き、その後、駆動リング８の反時計方向の回転によって閉じるようになっている。
【００１４】
上記した本実施例の速度ダイアル３は、所定の回転角度範囲にわたって複数の段カムを一連に形成したカム部３ａと、それらの段カム位置に対応して所定の回転角度範囲にわたり同一円周上に形成された１１個（１個は円形の孔として、１０個はＵ字状の溝として形成されている）のクリック受け部３ｂと、それらのクリック受け部３ｂと同一円周上であってそれらが形成されている回転角度範囲外に隣接して形成されたクリック着脱部３ｃと、径方向の端面として形成されている当接部３ｄ，３ｅと、速度ダイアル３を回転させるための操作部３ｆとを有している。また、上記した本実施例の押さえ板４には、円形をした着脱孔４ａと、図４に示されている取付孔４ｂが形成されている。そして、その取付孔４ｂには、ビス１０が螺合されるようになっていて、そのビス１０の先端に上記の当接部３ｄが当接することによって、速度ダイアル３の時計方向の回転が阻止されるようになっている。
【００１５】
図示していないが、シャッタ地板２には、歯車列を有している周知のガバナーが取り付けられている。このガバナーは、撮影時において、シャッタ羽根９が露光用開口部２ａを全開にした後、上記の開閉駆動部材が駆動リング８を介してシャッタ羽根９に閉じ作動を行わせるのを遅延させるためのものである。そして、その遅延時間は、通常、ガバナーの構成部材であって開閉駆動部材に当接され且つ押動される部材の当接位置を変えて調節したり、歯車列の噛合関係（ギアレシオ）を変えて調節したり、アンクルと称されている部材を歯車列から外して調節したりするが、本実施例の場合には、それらの組み合わせによって調節するようになっている。しかしながら、それらの全ての調節手段を図示すると図面が見にくくなるので、図１においては、開閉駆動部材に当接され且つ押動される部材の当接位置を変えために、カム部３ａに形成された複数の段カムによって変位させられるピン１１だけを示してある。
【００１６】
また、図２に示されているように、シャッタ地板２には、カップ状の受け台１２が固定されており、中にはコイルばね１３が収容され、クリックピン１４が挿入されている。そして、このクリックピンの先端は、速度ダイアル３に形成されたクリック受け部３ｂに係合し、速度ダイアル３の位置決めをしている。
【００１７】
次に、本実施例における露光時間の設定の仕方を説明する。図１は、本実施例のシャッタユニットを、カメラボディーの外側に組み付けた場合であって、速度ダイアル３を直接、手で回転させることができる場合を示したものである。そして、このとき、速度ダイアル３は、操作部３ｆを手で操作され、当接部３ｄがビス１０の先端に当接し、時計方向の回転を停止させられた状態となっており、この停止位置は、図１において一番右側となっているクリック受け部３ｂがクリックピン１４に係合し、位置決めされている。但し、このときには、当接部３ｄが、必ずしもビス１０の先端部に当接している必要はなく、若干の間隔を空けた状態になっている方が、むしろ好ましい。その理由は、後述の説明から分かるが、ビス１０は、速度ダイアル３の設定位置の位置決めとは何ら関係のないものであるからである。
【００１８】
この図１の状態においては、ガバナーのピン１１が、図示していないばねの付勢力によって、カム部３ａの一番上方に形成されている光軸から見て一番低い段カムに接触している。この状態が、露光時間の最低速（例えば、１秒）の設定状態である。この状態から、露光時間を切り換える場合は、操作部３ｆを持って、速度ダイアル３を反時計方向へ回転させてゆき、クリックピン１４がクリック受け部３ｂのいずれかに係合した位置で停止させることになる。図３は、そのようにして、クリックピン１４が一番左側に円形の孔として形成されたクリック受け部３ｂに係合した状態を示している。この状態が、露光時間の最高速（例えば、１／５００秒）の設定状態であるが、これ以上、速度ダイアル３を反時計方向へ回転させると、当接部３ｅがビス１０の先端部に当接し、停止させられるようになっている。
【００１９】
次に、このようなシャッタユニットはカメラボディーに収容しておき、カメラの外側において手で操作することの可能なクリック機構付き速度ダイアルを別に設け、その速度ダイアルを手で回転したとき、操作部３ｆが適宜な連結部材を介して操作され、本実施例の速度ダイアル３が回転させられるように構成される場合を説明する。既に述べたように、その場合であっても、シャッタユニットの製作上、シャッタケース１内には、クリック機構を設けることが必要である。しかしながら、カメラに組み付ける場合には、そのようなクリック機能が働かないようにすることを要求される場合がある。
【００２０】
そこで、本実施例の場合には、シャッタユニットを製作した後、簡単な作業によって、クリック機能が働かないようにすることが可能になっている。即ち，その場合には、ビス１０を押さえ板４から取り外し、速度ダイアル３を図１に示された状態よりも時計方向へ回転させ、速度ダイアル３に形成されているクリック着脱部３ｃを、押さえ板４に形成されている着脱孔４ａに重ねる。そのときの状態が、図４に示された状態である。そして、この状態において、図５に示されているように、クリックピン１４とコイルばね１３を取り出せば、シャッタユニットにはクリック機能が働かないようになる。
【００２１】
このあと、速度ダイアル３を反時計方向へ回転させ、押さえ板４の取付孔４ｂにビス１０を螺着させれば、所定の作業は終了するが、カメラボディー側に別途設けられた速度ダイアルに、回転範囲を規制するための手段が設けられている場合には、そのようなビス１０の再螺着は不要になる。また、クリックピン１４は球状の部材にしてもよいし、コイルばね１３は板ばねなどの他の弾性手段にしても差し支えない。
【００２２】
尚、上記の説明からも分かるように、カメラの外側において操作することの可能なクリック機構付き速度ダイアルを別に設けているカメラに対して、本実施例のシャッタユニットを採用する場合には、ビス１０に代わるストッパ部材が別に設けられていれば、最初から押さえ板４の存在は不要なものとなる。従って、本発明は、そのようにしても差し支えないが、そのように、シャッタユニットがカメラボディーに収容される場合でも、上記の実施例のように、押さえ板４が備えられていると、シャッタケース１内に配置されている部材に対して、防塵効果が得られるものとなる。
【００２３】
【発明の効果】
以上のように、本発明は、シャッタユニットの製作完了後に、必要に応じて、簡単にクリック機能を無くすことができるので、カメラの外側において操作することの可能なクリック機構付き速度ダイアルを別に設けているカメラに対して採用する場合、極めて好適なものとなる。また、シャッタユニットの製作後にも、クリック機能を残しておけば、従来のような、シャッタユニットをカメラボディーの外に取り付けるカメラにも、そのまま採用することが可能である。
【図面の簡単な説明】
【図１】最長露光時間に設定された状態を示す実施例の平面図である。
【図２】図１の要部断面図である。
【図３】最短露光時間に設定された状態を示す実施例の平面図である。
【図４】クリック機能を無くすときの状態を示す実施例の平面図である。
【図５】図４の要部断面図である。
【符号の説明】
１　　　　　　　　　シャッタケース
１ａ　　　　　　　　側壁
１ｂ，１ｃ　　　　　窓
２　　　　　　　　　シャッタ地板
２ａ　　　　　　　　露光用開口部
２ｂ　　　　　　　　筒部
２ｃ，２ｄ　　　　　軸
２ｅ，８ａ，１１　　ピン
３　　　　　　　　　速度ダイアル
３ａ　　　　　　　　カム部
３ｂ　　　　　　　　クリック受け部
３ｃ　　　　　　　　クリック着脱部
３ｄ　　　　　　　　当接部
３ｅ　　　　　　　　操作部
４　　　　　　　　　押さえ板
４ａ　　　　　　　　着脱孔
４ｂ　　　　　　　　取付孔
５　　　　　　　　　押さえナット
６　　　　　　　　　セット部材
７　　　　　　　　　レリーズ部材
８　　　　　　　　　駆動リング
９　　　　　　　　　シャッタ羽根
１０　　　　　　　　ビス
１２　　　　　　　　受け台
１３　　　　　　　　コイルばね
１４　　　　　　　　クリックピン
【図１】
2004038118.tif 000003
【図２】
2004038118.tif 000004
【図３】
2004038118.tif 000005
【図４】
2004038118.tif 000006
【図５】
2004038118.tif 000007